(57)【要約】【課題】この発明は、ＩＣカード利用者の利便性を向上させることができるＩＣカード処理装置、およびＩＣカード処理システムを提供することを課題とする。【解決手段】ＩＣカード処理システム１は、サービス内容を登録するためのパソコン２、データベース３を管理するサーバー４、券売機５や自動改札機６を監視するとともに動作を制御する制御部７を有する。券売機５は、ＩＣカードから読取ったＩＤをキーとしてサービス内容をデータベース３から取得し、ＩＣカードに記録するとともに表示部１３を介して表示する。自動改札機６は、ＩＣカードから読取ったサービス内容を表示部１９を介して表示する。【選択図】    図１
2004287511.tif 000002
【特許請求の範囲】
【請求項１】
予め登録したサービス内容に基づいてＩＣカードを用いてクレジット処理により当該サービスを利用するポストペイシステムのＩＣカード処理装置であって、
上記ＩＣカードからＩＤを読取るコード読取部と、
読取ったＩＤをキーとして当該ＩＣカードに適用されるサービス内容を取得するデータ取得部と、
取得したサービス内容を表示する表示部と、
を備えていることを特徴とするＩＣカード処理装置。
【請求項２】
上記データ取得部で取得したサービス内容を当該ＩＣカードに記録する記録部をさらに備えていることを特徴とする請求項１に記載のＩＣカード処理装置。
【請求項３】
上記サービス内容は、サービスの種類の他に、サービスの有効期限、利用履歴、利用可能回数、および割引料金のうち少なくとも１つを含むことを特徴とする請求項１または２に記載のＩＣカード処理装置。
【請求項４】
予め登録したサービス内容を記録したＩＣカードを用いてクレジット処理により当該サービスを利用するポストペイシステムのＩＣカード処理装置であって、
上記ＩＣカードに記録されているサービス内容を読取るデータ読取部と、
読取ったサービス内容を表示する表示部と、
読取ったサービスの提供の可否を判断する判断部と、
を備えていることを特徴とするＩＣカード処理装置。
【請求項５】
上記サービス内容は、サービスの種類の他に、サービスの有効期限、利用履歴、利用可能回数、および割引料金のうち少なくとも１つを含むことを特徴とする請求項４に記載のＩＣカード処理装置。
【請求項６】
予め登録したサービス内容に基づいてＩＣカードを用いてクレジット処理により当該サービスを利用するポストペイシステムを運用したＩＣカード処理システムであって、
上記サービス内容を登録する端末機と、
登録したサービス内容を対応するＩＣカードのＩＤに関連付けて記憶する記憶部と、
サービス内容の登録が済んだＩＣカードからＩＤを読取るコード読取部と、読取ったＩＤをキーとして当該ＩＣカードに適用されるサービス内容を上記記憶部から取得するデータ取得部と、取得したサービス内容を表示する第１表示部と、上記データ取得部で取得したサービス内容を当該ＩＣカードに記録する記録部と、を備えた第１の処理装置と、
上記ＩＣカードに記録されているサービス内容を読取るデータ読取部と、読取ったサービス内容を表示する第２表示部と、上記データ読取部で読取ったサービスの提供の可否を判断する判断部と、を備えた第２の処理装置と、
を備えていることを特徴とするＩＣカード処理システム。
【請求項７】
上記サービス内容は、サービスの種類の他に、サービスの有効期限、利用履歴、利用可能回数、および割引料金のうち少なくとも１つを含むことを特徴とする請求項６に記載のＩＣカード処理システム。
【発明の詳細な説明】
【０００１】
【発明の属する技術分野】
この発明は、ＩＣカードを用いたクレジット処理によりサービスを利用するポストペイシステムのＩＣカード処理装置、およびＩＣカード処理システムに係り、特に、鉄道の利用料金をＩＣカードを用いてクレジット処理するＩＣカード処理装置、およびＩＣカード処理システムに関する。
【０００２】
【従来の技術】
従来、ＩＣカード処理システムとして、鉄道の利用料金をＩＣカードを用いてクレジット処理するポストペイシステムが知られている（例えば、特許文献１参照。）。
【０００３】
このポストペイシステムでは、ＩＣカードの利用実績に応じて、各種運賃サービスを顧客に提供する。運賃サービスとして、普通乗車券、回数券、定期券などに関する運賃サービスがある。
【０００４】
【特許文献１】
特開平９−１１５０１７号公報
【０００５】
【発明が解決しようとする課題】
しかし、従来のシステムは、ＩＣカードの利用実績に応じてセンターが顧客に提供する運賃サービスの内容を計算するものである。
【０００６】
このため、顧客は、あとどのくらいＩＣカードを利用すれば新たな運賃サービスの提供をうけることができるのかが分らなかった。
【０００７】
この発明は、以上の点に鑑みなされたもので、その目的は、ＩＣカード利用者の利便性を向上させることができるＩＣカード処理装置、およびＩＣカード処理システムを提供することにある。
【０００８】
【課題を解決するための手段】
上記目的を達成するため、本発明のＩＣカード処理装置は、
予め登録したサービス内容に基づいてＩＣカードを用いてクレジット処理により当該サービスを利用するポストペイシステムのＩＣカード処理装置であって、
上記ＩＣカードからＩＤを読取るコード読取部と、
読取ったＩＤをキーとして当該ＩＣカードに適用されるサービス内容を取得するデータ取得部と、
取得したサービス内容を表示する表示部と、
を備えている。
【０００９】
また、本発明のＩＣカード処理装置は、
予め登録したサービス内容を記録したＩＣカードを用いてクレジット処理により当該サービスを利用するポストペイシステムのＩＣカード処理装置であって、
上記ＩＣカードに記録されているサービス内容を読取るデータ読取部と、
読取ったサービス内容を表示する表示部と、
読取ったサービスの提供の可否を判断する判断部と、
を備えている。
【００１０】
更に、本発明のＩＣカード処理システムは、
予め登録したサービス内容に基づいてＩＣカードを用いてクレジット処理により当該サービスを利用するポストペイシステムを運用したＩＣカード処理システムであって、
上記サービス内容を登録する端末機と、
登録したサービス内容を対応するＩＣカードのＩＤに関連付けて記憶する記憶部と、
サービス内容の登録が済んだＩＣカードからＩＤを読取るコード読取部と、読取ったＩＤをキーとして当該ＩＣカードに適用されるサービス内容を上記記憶部から取得するデータ取得部と、取得したサービス内容を表示する第１表示部と、上記データ取得部で取得したサービス内容を当該ＩＣカードに記録する記録部と、を備えた第１の処理装置と、
上記ＩＣカードに記録されているサービス内容を読取るデータ読取部と、読取ったサービス内容を表示する第２表示部と、上記データ読取部で読取ったサービスの提供の可否を判断する判断部と、を備えた第２の処理装置と、
を備えている。
【００１１】
【発明の実施の形態】
以下、図面を参照しながらこの発明の実施の形態について詳細に説明する。
【００１２】
図１には、この発明の実施の形態に係るＩＣカード処理システム１（以下、単にシステム１と称する）の概略構成を示してある。ここでは、予め登録したサービス内容に基づいてＩＣカードを用いてクレジット処理によりサービスを利用するポストペイシステムを、鉄道の各種運賃サービス業務に適用したシステム１を例にとって説明する。
【００１３】
システム１は、インターネット１０を介して鉄道利用者が利用したい運賃サービスの条件（サービス内容）を登録するためのパソコン２（端末機）、利用者が登録したサービス内容を利用者が所持、管理するＩＣカードのＩＤと関連付けて記憶するデータベース３（記憶部）を有するサーバー４、および券売機５（第１の処理装置）や自動改札機６（第２の処理装置）など複数台の駅務機器（ＩＣカード処理装置）を監視するとともに動作制御する制御部７（データ取得部）を有する。
【００１４】
上記サービス内容として、普通運賃サービス、回数券運賃サービス、定期券運賃サービスなどのサービスの種類に関するデータの他に、回数券運賃サービスおよび定期券運賃サービスの有効期限に関するデータ、各種運賃サービスの利用履歴（利用回数）に関するデータ、回数券運賃サービスの残り利用可能回数に関するデータ、ＩＣカードの利用実績に応じた割引料金に関するデータなどが含まれる。サービス内容のうち利用履歴、利用可能回数、割引料金に関するデータは、関連したＩＤを有するＩＣカードを利用する度に適宜書き換えられる。
【００１５】
券売機５は、制御部７との間で各種データを送受信する通信制御部１１、利用者が所持しているＩＣカードからＩＤを読取るとともにこのＩＤをキーとして制御部７がデータベース３から取得したサービス内容をＩＣカードに記録するリーダ・ライタ（Ｒ／Ｗ）１２（コード読取部、記録部）、および取得したサービス内容を利用者に対して表示する表示部１３（第１表示部）を有する。
【００１６】
自動改札機６は、制御部７との間で各種データを送受信する通信制御部１５、ＩＣカードに記録されているサービス内容を読取るとともにＩＣカードに記録されているサービス内容の利用履歴を書き換えるＲ／Ｗ１６（データ読取部）、ＩＣカードから読取ったサービス内容に基づいて当該利用者の通行の可否を判断する判断部１７、この判断に基づいて開閉されるゲート１８、およびＩＣカードから読取ったサービス内容のうち少なくとも一部を表示する表示部１９（第２表示部）を有する。
【００１７】
次に、図２、図３のフローチャートを参照して、上述したシステム１による処理動作について説明する。
【００１８】
まず、利用者がパソコン２を操作して、利用を希望するサービス内容を入力する。ここで入力するサービス内容として、運賃サービスの種類（普通運賃サービス、回数券運賃サービス、定期券運賃サービス）の他に、定期券運賃サービスを選択した場合、その利用区間（発駅、着駅）、利用開始日、および利用期間が入力され、回数券運賃サービスを選択した場合、その利用区間（発駅、着駅）、および利用する曜日（土日限定使用の回数券の場合、１３回分を１０回分の料金で利用可）が入力される。
【００１９】
利用者によって入力された上述したサービス内容は、インターネット１０を介してサーバー４で管理するデータベース３に登録される。このとき、当該取引に応じたＩＣカードが発行され、ＩＣカードに個別に付与されているＩＤが当該サービス内容と関連付けてデータベース３に記憶される。発行されたＩＣカードは、郵送等の手段により利用者に送付される。
【００２０】
そして、図２に示すように、券売機５が操作されて利用者が所持しているＩＣカードにサービス内容が記録される。
【００２１】
まず、ＩＣカードの処理が可能な券売機５に利用者がＩＣカードをセットし、サービス内容、すなわち運賃サービスを適用する条件をＩＣカードに記録するための操作入力を行なう（ステップ１）。具体的には、券売機５の図示しない操作パネルにある所定のボタンが入力される。
【００２２】
これにより、券売機５のＲ／Ｗ１２を介してＩＣカードからＩＤが読取られ、このＩＤが通信制御部１１を介して券売機５から制御部７へ送信される（ステップ２）。
【００２３】
制御部７は、このＩＤをキーとしてサーバー４のデータベース３を検索し、該当する契約済のサービス内容を取得する。そして、制御部７は、取得したサービス内容を該当する券売機５へ送信する（ステップ３）。
【００２４】
当該券売機５は、通信制御部１１を介して制御部７から受信したサービス内容を表示部１３を介して表示するとともに、このサービス内容をＲ／Ｗ１２を介してステップ１でセットされたＩＣカードに記録する（ステップ４）。
【００２５】
さらに、図３に示すように、券売機５で処理されたＩＣカードが自動改札機６で使用され、サービス内容が表示される。
【００２６】
まず、上述したようにサービス内容を記録したＩＣカードを自動改札機６で使用する（ステップ１）と、自動改札機６のＲ／Ｗ１６を介してＩＣカードからサービス内容が読取られ、判断部１７にて当該自動改札機６を通行可能か否かが判断される（ステップ２）。
【００２７】
このとき、当該ＩＣカードに記録されている運賃サービスの種類が定期券運賃サービスである場合、当該自動改札機が設置された駅が定期券の区間に含まれているか否かが判断部１７で判断され、この判断に基づいて、ゲート１８が開閉制御される。
【００２８】
ステップ２で当該ＩＣカードを所持した利用者の通行が許可されると（ステップ２；ＹＥＳ）、判断部１７は、ゲート１８を開くとともに、当該定期券の利用回数とサービス内容を比較する（ステップ３）。そして、この比較結果に基づいて、表示部１９を介してサービス内容の少なくとも一部が表示される（ステップ４）。
【００２９】
表示内容として、今回の利用で適用される運賃サービスの種類、新たな運賃サービスの適用までに必要な利用回数、回数券の残回数、定期券の有効期限などがある。また、このとき、ＩＣカードの利用実績に基づいて料金の割引が適用されるまでの利用回数などを表示しても良い。
【００３０】
一方、ステップ２で当該ＩＣカードを所持した利用者の通行が許可されない場合（ステップ２；ＮＯ）、判断部１７は、ゲート１８を閉じるとともに、サービス内容の表示を行なわない（ステップ５）。
【００３１】
尚、上述したようにＩＣカードを利用して自動改札機６を通過した場合、その利用履歴が通信制御部１５を介して制御部７へ送信され、サーバー４のデータベース３が書き換えられる。例えば、ＩＣカードを用いて回数券運賃サービスを利用した場合、回数券の使用可能回数が１回分減算されて書き換えられる。
【００３２】
以上のように、本実施の形態によると、ＩＣカードを券売機５にセットした際、利用者は、表示部１３を介してサービス内容を確認できる。また、自動改札機６をＩＣカードを用いて通過する際、利用者は、表示部１９を介してサービス内容を確認できる。このため、利用者は、ＩＣカードが契約している運賃サービスの種類、有効期限、利用可能回数、割引料金などの各種情報を容易に確認でき、利便性を向上させることができる。
【００３３】
尚、この発明は、上述した実施の形態に限定されるものではなく、この発明の範囲内で種々変形可能である。
【００３４】
【発明の効果】
以上説明したように、この発明のＩＣカード処理装置、およびＩＣカード処理システムは、上記のような構成および作用を有しているので、ＩＣカード利用者の利便性を向上させることができる。
【図面の簡単な説明】
【図１】この発明の実施の形態に係るＩＣカード処理システムの概略構成を示す図。
【図２】図１のシステムに組み込まれた券売機による処理動作を説明するためのフローチャート。
【図３】図１のシステムに組み込まれた自動改札機による処理動作を説明するためのフローチャート。
【符号の説明】
１…ＩＣカード処理システム、２…パソコン、３…データベース、４…サーバー、５…券売機、６…自動改札機、７…制御部、１０…インターネット、１１…通信制御部、１２…Ｒ／Ｗ、１３…表示部、１５…通信制御部、１６…Ｒ／Ｗ、１７…判断部、１８…ゲート、１９…表示部。
【図１】
2004287511.tif 000003
【図２】
2004287511.tif 000004
【図３】
2004287511.tif 000005